(57)【要約】【課題】お客が、商品の登録状況の全体を把握することができるＰＯＳレジスタを提供する。【解決手段】ＰＯＳレジスタ１は、登録される商品の情報を表示する店員側表示部１８と顧客側表示部１９とを備える。顧客側表示部１９には、第１の領域と第２の領域とを有する表示画面が表示される。ＣＰＵ３０は、ある商品が登録されると、顧客への表示として、登録直後の商品の情報、即ち、当該商品の情報（商品名、単価、個数、値下げ又は取消し等の付帯情報）を第１の領域に表示する。ＣＰＵ３０は、次の商品が登録されると、顧客への表示として、登録直後の商品の情報、即ち、当該次の商品の情報を第１の領域に表示するとともに、登録直後以前に登録された商品の情報、即ち、先ほど迄、第１の領域に表示していた情報（１つ前に登録された商品の情報）を、表示態様を変えて第２の領域に移動して表示する。【選択図】図２
2013250799.tif 000002
【特許請求の範囲】
【請求項１】
商品が登録されると、該登録された商品の情報を店員側表示部と顧客側表示部とに表示する表示制御手段を備えるＰＯＳレジスタであって、
前記表示制御手段は、
前記商品の登録順に基づいて、登録直後の商品の情報と前記登録直後以前に登録された商品の情報とを表示態様を変えて前記顧客側表示部に表示する顧客側表示制御手段を有することを特徴とするＰＯＳレジスタ。
【請求項２】
前記顧客側表示制御手段は、
前記登録直後の商品の情報と前記登録直後以前に登録された商品の情報とを、判別可能な文字の大きさ、あるいは、異なる文字色、あるいは、異なる背景色、あるいは、異なる括りで表示することを特徴とする請求項１に記載のＰＯＳレジスタ。
【請求項３】
前記表示制御手段は、
値下げ商品、値引き商品に該当する旨、若しくは、値下げ若しくは値引きの理由を表示し、又は、前記登録された商品が取消し、訂正等された旨、若しくは、取消し、訂正の理由を表示することを特徴とする請求項１又は請求項２に記載のＰＯＳレジスタ。
【請求項４】
前記顧客側表示制御手段は、
前記登録直後の商品の情報を詳細表示し、前記前記登録直後以前に登録された商品の情報を簡略化して表示することを特徴とする請求項１乃至請求項３に記載のＰＯＳレジスタ。  
【請求項５】
前記顧客側表示制御手段は、
登録された商品に同一商品が含まれていない場合、少なくとも、該商品について商品名と金額とを前記顧客側表示部に表示し、
登録された商品に同一商品が含まれている場合、該同一商品の少なくとも数量及び金額を各々合計した合計値を算出し、該同一商品について少なくとも商品名と前記算出した合計値とを前記顧客側表示部に表示することを特徴とする請求項１乃至請求項４の何れか１項に記載のＰＯＳレジスタ。
【請求項６】
前記表示制御手段は、
前記商品の登録順に基づいて、少なくとも前記登録直後以前に登録された商品の情報を前記店員側表示部に表示する店員側表示手段を有し、
前記顧客側表示制御手段は、
少なくとも、前記登録直後以前に登録された商品の情報を、前記店員側表示手段が前記店員側表示部に表示する表示態様に比べて、簡素化して表示することを特徴とする請求項１乃至請求項５の何れか１項に記載のＰＯＳレジスタ。
【発明の詳細な説明】
【技術分野】
【０００１】
本発明は、商品登録がなされると該商品の情報を顧客側表示部に表示するＰＯＳレジスタに関する。
【背景技術】
【０００２】
従来技術によるＰＯＳレジスタは、顧客側表示部は、商品が登録される都度、その商品の情報（例えば、品名又は価格）を表示するだけであった（例えば特許文献１参照）。
【先行技術文献】
【特許文献】
【０００３】
【特許文献１】特開２００４−３２６２３９号公報
【発明の概要】
【発明が解決しようとする課題】
【０００４】
上述のように、従来技術によるＰＯＳレジスタの顧客側表示部は、商品が登録される都度、その商品の情報を表示するだけであったので、お客は、商品の登録状況の全体を把握すること（全体的な買物チェック）ができないという問題があった。
【０００５】
また、従来技術によるＰＯＳレジスタでは、顧客側表示部の表示領域が限られているので、値下げ、値引き（値下げ等）の金額、若しくは、値下げ等に関連する情報（例えば、特売、バンドル、ミックスマッチ、セットマッチ、単品値下、分類値下、顧客情報等の値下げ等に付帯する付帯情報）、又は、取消し、訂正（取消し等）の情報、若しくは、取消し等に関係する情報（取消し等に付帯する付帯情報）を十分に表示することができないので、お客は、買物チェックにおいて、詳細な情報（例えば、値下等の理由、取消し等の理由）を確認することができないという問題があった。
【０００６】
本発明は、このような事情を考慮してなされたものであり、その目的は、お客が、商品の登録状況の全体を把握することができるＰＯＳレジスタを提供することにある。
【課題を解決するための手段】
【０００７】
上述した課題を解決するために、請求項１に係るＰＯＳレジスタは、商品が登録されると、該登録された商品の情報を店員側表示部と顧客側表示部とに表示する表示制御手段を備えるＰＯＳレジスタであって、前記表示制御手段は、前記商品の登録順に基づいて、登録直後の商品の情報と前記登録直後以前に登録された商品の情報とを表示態様を変えて前記顧客側表示部に表示する顧客側表示制御手段を有することを特徴とする。
【０００８】
上記構成によれば、顧客側表示部には登録直後の商品の情報（直前（直近）に登録された商品に関する情報）に加えて、登録直後以前に登録された商品の情報（直前に登録された商品よりも前に登録された商品に関する情報）が表示されるので、お客は、商品の登録状況の全体を把握することができる。さらに、顧客側表示部には登録直後の商品の情報と登録直後以前に登録された商品の情報とが異なる表示態様で表示されるので、お客は、登録直後の商品の情報と登録直後以前に登録された商品の情報とを容易に判別することができる。つまり、登録直後の商品の情報は、登録直後以前に登録された商品の情報とは異なる表示態様で表示されるので、お客は、登録直後の商品の情報が何れであるかを直ちに認識することができる。また、上記によって、顧客満足度を向上させることができる。
【０００９】
上述した課題を解決するために、請求項２に係るＰＯＳレジスタは、前記顧客側表示制御手段が、前記登録直後の商品の情報と前記登録直後以前に登録された商品の情報とを、判別可能な文字の大きさ、あるいは、異なる文字色、あるいは、異なる背景色、あるいは、異なる括りで表示することを特徴とする。
【００１０】
上記構成によれば、登録直後の商品に係る文字の大きさと登録直後以前に登録された商品に係る文字の大きさとが、互いにその大きさの違いが判別可能な程度に異なる大きさで表示されるので、あるいは、登録直後の商品に係る文字の色と登録直後以前に登録された商品に係る文字の色とが、互いにその色の違いが判別可能な程度に異なる色で表示されるので、あるいは、登録直後の商品に係る文字を表示する背景色と登録直後以前に登録された商品に係る文字を表示する背景色とが、互いにその色の違いが判別可能な程度に異なる色で表示されるので、あるいは、登録直後の商品と登録直後以前に登録された商品とが異なる括りで表示されるので、お客は、登録直後の商品の情報と登録直後以前に登録された商品の情報とを直感的に区別することができる。
【００１１】
上述した課題を解決するために、請求項３に係るＰＯＳレジスタは、前記表示制御手段が、値下げ商品、値引き商品に該当する旨、若しくは、値下げ若しくは値引きの理由を表示し、又は、前記登録された商品が取消し、訂正等された旨、若しくは、取消し、訂正の理由を表示することを特徴とする。
【００１２】
上記構成によれば、例えば、顧客側表示部が、値下げ商品、値引き商品に該当する旨、値下げ若しくは値引きの理由、登録された商品が取消し、訂正等された旨、取消し、訂正の理由を顧客側表示部に表示するので、お客は、買物チェックにおいて、詳細な情報（値下げ商品等である旨、値下等の理由、取消し等がされた旨、取消し等の理由）を確認することができる。つまり、顧客側表示部の表示領域が小さい場合であっても、登録直後以前に登録された商品の情報を簡略化して表示すれば、より多くの情報が表示できるようになるため、上述のような詳細な情報を表示することが可能になるので、お客は、顧客側表示部にてその詳細な情報を確認することができるようになる。これにより、例えば、顧客は、買上商品の表示金額が思っていた金額を下回った場合に、値下げ等によるものであると納得することができる。あるいは、店側は、顧客に対し、買上商品が値下げ商品等であることを確実に知らせることができる。また、値下げ等の理由を明確に伝えることができる。また、登録された商品が取消し等がされた場合に、取消し等がされた旨や取消し等の理由を表示すれば、お客を安心させることができる。また、上記によって、顧客満足度を向上させると共に、次回の購買意欲をかき立てる効果を奏する。
【００１３】
上述した課題を解決するために、請求項４に係るＰＯＳレジスタは、前記顧客側表示制御手段が、前記登録直後の商品の情報を詳細表示し、前記前記登録直後以前に登録された商品の情報を簡略化して表示することを特徴とする。
【００１４】
上記構成によれば、登録直後の商品の情報は詳細に表示される一方、登録直後以前に登録された商品の情報は簡略化して表示されるので、お客は、登録直後の商品については詳細な情報を確認することができると共に、登録直後以前に登録された商品については一見して全体を把握することができる。
【００１５】
上述した課題を解決するために、請求項５に係るＰＯＳレジスタは、前記顧客側表示制御手段が、登録された商品に同一商品が含まれていない場合、少なくとも、該商品について商品名と金額とを前記顧客側表示部に表示し、登録された商品に同一商品が含まれている場合、該同一商品の少なくとも数量及び金額を各々合計した合計値を算出し、該同一商品について少なくとも商品名と前記算出した合計値とを前記顧客側表示部に表示することを特徴とする。
【００１６】
上記構成によれば、同一商品が登録された場合、該同一商品について商品名と合計値（合計数量、合計金額の何れか一方又は両方）とが顧客側表示部に表示されるので、該同一商品を纏めて（一括して）表示することができ、限られた顧客側表示部に沢山の情報を解り易く表示することができる。
【００１７】
上述した課題を解決するために、請求項６に係るＰＯＳレジスタは、前記表示制御手段が、前記商品の登録順に基づいて、少なくとも前記登録直後以前に登録された商品の情報を前記店員側表示部に表示する店員側表示手段を有し、前記顧客側表示制御手段は、少なくとも、前記登録直後以前に登録された商品の情報を、前記店員側表示手段が前記店員側表示部に表示する表示態様に比べて、簡素化して表示することを特徴とする少なくとも、前記登録直後以前に登録された商品の情報を、前記店員側表示手段が前記店員側表示部に表示する表示態様に比べて、簡素化して表示することを特徴とする。
【００１８】
上記構成によれば、顧客側表示部には、登録直後以前に登録された商品の情報が簡素化して表示（例えば、複数商品を一括表示）され、店員側表示部には、登録直後以前に登録された商品の情報が詳細に表示（例えば、例えば、個々の商品を単品表示）されるので、顧客にとっては、限られた顧客側表示部に沢山の情報が解り易く表示され、店員にとっては、個々の商品を指定して行なう取消しや訂正等の操作がし易くなる。
【発明の効果】
【００１９】
本発明によれば、お客は、商品の登録状況の全体を把握することができ、また、商品の登録状況の詳細を簡便に把握することができる。
【図面の簡単な説明】
【００２０】
【図１】本発明の一実施形態によるＰＯＳレジスタ１の外観図である。
【図２】本実施形態によるＰＯＳレジスタ１に内蔵される電気回路構成を示すブロック図である。
【図３】本実施形態によるＰＯＳレジスタ１の動作を説明するためのフローチャートである。
【図４】本実施形態によるＰＯＳレジスタ１の顧客側表示部１９の表示例を示す模式図である。
【発明を実施するための形態】
【００２１】
以下、本発明の一実施形態を、図面を参照して説明する。
【００２２】
図１は、本発明の一実施形態によるＰＯＳレジスタ１の外観図である。具体的には、図１（ａ）は外観斜視図、図１（ｂ）は側面図である。図１において、ＰＯＳレジスタ１は、来店客が買い上げる商品の登録及び精算を行うための装置であり、小売店などで使用される。図１において、店員側表示部１８（表示部）は、モード切替、設定、登録等の操作と表示を行う。店員側表示部１８の表示面には、透明な接点スイッチであるタッチキー（ソフトキー）が設けられているタッチパネルが備えられている。メカキー（ハードキー）からなる入力キー１７は、テンキー、登録用ファンクションキー、小計キー、現計キー（合計キー、締めキーとも称する）等を含む。
【００２３】
顧客側表示部１９は、お客に対して品名や値段の表示を行う。顧客側表示部１９は、液晶ディスプレイ等を用いた発光型の表示デバイスであり、ドット表示（フルドット表示）によって数字などをその表面に発光して表示させる。印字部２３は、レシートを発行して排出させる機能を持ち、その排出部の奥にレシート及びジャーナルプリンタが設けられている。
【００２４】
図２は、本実施形態によるＰＯＳレジスタ１に内蔵される電気回路構成を示すブロック図である。なお、図１に対応する部分には同一の符号を付けて説明を省略する。図２において、ＰＯＳレジスタ１は、入力キー１７、店員側表示部１８、顧客側表示部１９、印字部２３、ＲＯＭ３１、ＲＡＭ３２、通信部３３、及び時計部３４から構成されている。なお、入力キー１７には、テンキー、登録用ファンクションキー、小計キー、現計キーなどが含まれる。
【００２５】
店員側表示部１８は、お客が購入した商品に関する情報を店員に表示する。顧客側表示部１９は、お客が購入した商品に関する情報をお客に表示する。顧客側表示部１９の画面は、登録直後の商品の情報（直前（直近）に登録された商品に関する情報）を表示する第１の領域と、登録直後以前に登録された商品の情報（直前に登録された商品よりも前に登録された商品に関する情報）を表示する第２の領域とを有する。顧客側表示部１９の画面構成、顧客側表示部１９における表示について詳細は後述する。
【００２６】
ＲＯＭ３１は、ＣＰＵ３０によって実行されるプログラム、当該プログラムが参照する種々のデータ等を記憶する。例えば、ＲＯＭ３１は、店員側表示部１８における表示情報の表示態様を定義する情報、及び、顧客側表示部１９における表示情報の表示態様を定義する情報を記憶する。ここで、顧客側表示部１９における表示情報の表示態様を定義する情報には、上記第１の領域における表示情報の表示態様を定義する情報（第１定義情報）と、上記第２の領域における表示情報の表示態様を定義する情報（第２定義情報）とが含まれる。
【００２７】
ＲＡＭ３２は、ＣＰＵ３０による制御のワークエリアとして一時的な情報を記憶する。また、ＲＡＭ３２は、ＣＰＵ３０が参照する種々のデータ（例えば、商品名、単価、メーカー又は産地情報、値下情報、値引情報等の商品に関する情報）を記憶する。印字部２３は、例えば、明細レシートを印字し、媒体発行口から出力する。
【００２８】
ＣＰＵ３０は、ＰＯＳレジスタ１全体を制御する。一例として、ＣＰＵ３０は、ＲＯＭ３１内に記憶されたプログラムを実行することによって、店員側表示部１８、顧客側表示部１９の表示を制御する。すなわち、ＣＰＵ３０は、お客が購入した商品が登録されると、店員側表示部１８及び顧客側表示部１９の夫々に表示する、登録された商品に関する表示情報を生成し、夫々の表示情報を店員側表示部１８、顧客側表示部１９の夫々に出力する。
【００２９】
ＣＰＵ３０は、顧客側表示部１９への表示制御として、今回登録されたある商品の表示情報を生成し、今回登録されたある商品の表示情報を、ある表示態様（ＲＯＭ３１に記憶される第１定義情報によって定義されている表示態様）に従って第１の領域に表示するとともに、前回迄に登録されたある商品の表示情報を、他の表示態様（ＲＯＭ３１に記憶される第２定義情報によって定義されている表示態様）に従って第２の領域に表示するように顧客側表示部１９の表示を制御する。つまり、ＣＰＵ３０は、登録直後の商品の表示情報と登録直後以前に登録された商品の表示情報とを表示態様を変えて顧客側表示部１９に表示させる。
【００３０】
具体的には、ＣＰＵ３０は、顧客側表示部１９への表示制御として、１つ目の商品が登録されると、１つ目に登録された商品の表示情報を、第１定義情報によって定義されている表示態様に従って第１の領域に表示させる。続いて２つ目の商品が登録されると、ＣＰＵ３０は、１つ目に登録された商品の表示情報を、第２定義情報によって定義されている表示態様に従って第２の領域に表示させるとともに、当該２つ目に登録された商品の表示情報を第１定義情報によって定義されている表示態様に従って第１の領域に表示させる。続いて３つ目の商品が登録されると、ＣＰＵ３０は、１つ目及び２つ目に登録された商品の表示情報を、第２定義情報によって定義されている表示態様に従って、登録順に、第２の領域に表示させるとともに、当該３つ目に登録された商品の表示情報を、第１定義情報によって定義されている表示態様に従って第１の領域に表示させる。４つ目以降の商品が登録された場合も同様である。
【００３１】
つまり、ＣＰＵ３０は、商品が登録される毎に、第１の領域に表示している前回登録された商品の表示情報を第２の領域に移動表示し、今回登録された商品の表示情報を第１の領域に新たに表示させるように顧客側表示部１９の表示を制御する。そして、ＣＰＵ３０は、第１の領域から第２の領域に表示情報を移動表示させる際には、当該表示情報の表示態様を、登録直後の商品（今回登録された商品）の表示情報の表示態様（即ち、第１定義情報によって定義されている表示態様）から、登録直後以前に登録された商品（前回迄に登録された商品）の表示情報の表示態様（即ち、第２定義情報によって定義されている表示態様）に切り替える。換言すれば、ＣＰＵ３０は、登録直後の商品の表示情報と、登録直後以前に登録された商品の表示情報とを異なる表示態様で表示するように顧客側表示部１９の表示を制御する。
【００３２】
例えば、ＣＰＵ３０は、登録直後の商品と登録直後以前に登録された商品とを区別するために、判別可能な文字の大きさ、あるいは、異なる文字色、異なる背景色、異なる括りにより差を付けて表示するように顧客側表示部１９の表示を制御してもよい。つまり、ＣＰＵ３０は、登録直後の商品に係る文字の大きさと登録直後以前に登録された商品に係る文字の大きさとを、互いにその大きさの違いが判別可能な程度に異なる大きさで表示するように顧客側表示部１９の表示を制御してもよいし、登録直後の商品に係る文字の色と登録直後以前に登録された商品に係る文字の色とを、互いにその色の違いが判別可能な程度に異なる色で表示するように顧客側表示部１９の表示を制御してもよいし、登録直後の商品に係る文字を表示する背景色と登録直後以前に登録された商品に係る文字を表示する背景色とを、互いにその色の違いが判別可能な程度に異なる色で表示するように顧客側表示部１９の表示を制御してもよいし、登録直後の商品と登録直後以前に登録された商品とが異なる括りで表示するように顧客側表示部１９の表示を制御してもよい。また、ＣＰＵ３０は、登録直後の商品と登録直後以前に登録された商品とを区別するために、網掛け編集、枠囲い編集により差を付けて表示するように顧客側表示部１９の表示を制御してもよい。
なお、上記場合、ＲＯＭ３１には、第１定義情報として、文字の大きさ、文字色、背景色、括り方、網掛け編集の有無、枠囲い編集の有無などに関する情報を記憶し、第２定義情報として、第１定義情報とは異なる、文字の大きさ、文字色、背景色、括り方、網掛け編集の有無、枠囲い編集の有無などに関する情報を記憶しておいてもよい。
【００３３】
なお、ＣＰＵ３０は、所定の操作に応じて、登録直後の商品と登録直後以前に登録された商品と上述の如く差を付けて表示するように顧客側表示部１９の表示を制御してもよい。例えば、ＣＰＵ３０は、上述の如く、差を付けて表示する表示モードに切り替える表示モード切替操作があった場合に、上述のように顧客側表示部１９の表示を制御してもよい。
【００３４】
また、ＣＰＵ３０は、登録された商品が値下げ商品、値引き商品に該当する場合（登録された商品が値下げ商品、値引き商品であると商品情報を参照して判断した場合）には、値下げ商品、値引き商品であることを判別可能な表示態様で表示するように顧客側表示部１９の表示を制御する。具体的には、ＣＰＵ３０は、値下げ商品、値引き商品に該当する旨を表示するように顧客側表示部１９の表示を制御する。例えば、ＣＰＵ３０は、商品名に対応付けて（例えば、商品名の横に）、値下げ商品、値引き商品であることを示す文言、マーク等を表示するように顧客側表示部１９の表示を制御する。
【００３５】
より詳細には、ＣＰＵ３０は、第２の領域において、値下げ商品、値引き商品であることを上述の如く表示するように顧客側表示部１９の表示を制御する。具体的には、ＲＯＭ３１に、第２定義情報として、値下げ商品、値引き商品であることを示す文言、マーク等の情報を記憶しておき、ＣＰＵ３０は、登録直後以前に登録されたある商品が、値下げ商品、値引き商品であった場合には、第２定義情報を参照し、第２の領域において、当該商品が値下げ商品、値引き商品であることを示す文言、マーク等を表示するように顧客側表示部１９の表示を制御する。
【００３６】
なお、ＣＰＵ３０は、第２の領域に加えて第１の領域においても、値下げ商品、値引き商品であることを上述の如く表示するように顧客側表示部１９の表示を制御してもよい。具体的には、ＲＯＭ３１に、第１定義情報として、値下げ商品、値引き商品であることを示す文言、マーク等の情報を記憶しておき、ＣＰＵ３０は、登録直後の商品が、値下げ商品、値引き商品であった場合には、第１定義情報を参照し、第１の領域において、当該商品が値下げ商品、値引き商品であることを示す文言、マーク等を表示するように顧客側表示部１９の表示を制御する。
【００３７】
なお、ＣＰＵ３０は、所定の操作に応じて、値下げ商品、値引き商品に該当する旨、若しくは、値下げ若しくは値引きの理由を表示するように顧客側表示部１９の表示を制御してもよい。例えば、ＣＰＵ３０は、上述の如く、値下げ商品等に該当する旨、若しくは、値下げ等の理由を表示する表示モードに切り替える表示モード切替操作があった場合に、上述のように顧客側表示部１９の表示を制御してもよい。
【００３８】
また、ＣＰＵ３０は、登録された商品が値下げ商品、値引き商品に該当する場合、上記と同様に、値下げ若しくは値引きの理由を判別可能な表示態様で表示するように顧客側表示部１９の表示を制御してもよい。
【００３９】
また、ＣＰＵ３０は、登録された商品が取消し、訂正等された商品に該当する場合、取消し、訂正等された商品であることを判別可能な表示態様で表示するように顧客側表示部１９の表示を制御する。具体的には、ＣＰＵ３０は、取消し、訂正等された商品に該当する旨を表示するように顧客側表示部１９の表示を制御する。例えば、ＣＰＵ３０は、商品名に対応付けて（例えば、商品名の横に）、取消し、訂正等された商品であることを示す文言、マーク等を表示するように顧客側表示部１９の表示を制御する。
【００４０】
より詳細には、ＣＰＵ３０は、第２の領域において、取消し、訂正等された商品であることを上述の如く表示するように顧客側表示部１９の表示を制御する。具体的には、ＲＯＭ３１に、第２定義情報として、取消し、訂正等された商品であることを示す文言、マーク等の情報を記憶しておき、ＣＰＵ３０は、登録直後以前に登録されたある商品が、取消し、訂正等された商品であった場合には、第２定義情報を参照し、第２の領域において、当該商品が取消し、訂正等された商品であることを示す文言、マーク等を表示するように顧客側表示部１９の表示を制御する。
【００４１】
なお、ＣＰＵ３０は、第２の領域に加えて第１の領域においても、取消し、訂正等された商品であることを上述の如く表示するように顧客側表示部１９の表示を制御してもよい。具体的には、ＲＯＭ３１に、第１定義情報として、取消し、訂正等された商品であることを示す文言、マーク等の情報を記憶しておき、ＣＰＵ３０は、登録直後の商品を、取消し、訂正等した場合には、第１定義情報を参照し、第１の領域において、当該商品が値下げ商品、値引き商品であることを示す文言、マーク等を表示するように顧客側表示部１９の表示を制御する。
【００４２】
また、ＣＰＵ３０は、登録された商品が取消し、訂正等された商品に該当する場合、上記と同様に、取消し、訂正等された商品を判別可能な表示態様で表示するように顧客側表示部１９の表示を制御してもよい。
【００４３】
なお、ＣＰＵ３０は、所定の操作に応じて、登録された商品が取消し、訂正等された旨、若しくは、取消し、訂正の理由を表示するように顧客側表示部１９の表示を制御してもよい。例えば、ＣＰＵ３０は、所定の入力キー１７（例えば、小計キー）が押下された場合に、上述のように顧客側表示部１９の表示を制御してもよい。
【００４４】
また、ＣＰＵ３０は、顧客側表示部１９に商品の情報を表示する際に、登録直後の商品の情報を詳細表示し、登録直後以前に登録された商品の情報を簡略して表示するように制御する。つまり、ＣＰＵ３０は、第１の領域には詳細に表示し、第２の領域には簡略して表示するように顧客側表示部１９の表示を制御する。例えば、ＲＯＭ３１には、第１定義情報として、詳細表示のフォーマットに関する情報を記憶し、第２定義情報として、簡略表示のフォーマットに関する情報を記憶しておき、ＣＰＵ３０は、第１定義情報、第２定義情報を参照し、上述のように顧客側表示部１９の表示を制御する。これにより、お客は、登録直後の商品については詳細な情報を確認することができると共に、登録直後以前に登録された商品については一見して全体を把握することができる。
【００４５】
なお、ＣＰＵ３０は、登録直後の商品と登録直後以前に登録された商品と上述の如く差を付けて表示する場合と同様、所定の操作に応じて、登録直後の商品の情報を詳細表示し、登録直後以前に登録された商品の情報を簡略して表示するように顧客側表示部１９の表示を制御してもよい。
【００４６】
例えば、ＣＰＵ３０は、登録された商品に同一商品が含まれていない場合、少なくとも、該商品について商品名と金額とを顧客側表示部１９に表示し、登録された商品に同一商品が含まれている場合、該同一商品について商品名と登録数量分の合計金額を計算し、少なくとも、該同一商品について商品名と計算した合計金額とを顧客側表示部１９に表示するようにしてもよい。例えば、ＣＰＵ３０は、登録直後以前に登録された商品に同一商品が含まれている場合には、当該同一商品を纏めて（一括して）、第２の領域に表示するように顧客側表示部１９の表示を制御してもよい。これにより、商品毎に表示する場合に比べて、登録直後以前に登録された商品の情報を簡略して表示することができ、限られた顧客側表示部１９（第２の領域）に沢山の情報を解り易く表示することができる。
【００４７】
なお、登録直後の商品の情報（第１の領域）を詳細表示し、登録直後以前に登録された商品の情報（第２の領域）を簡略して表示するのはあくまで原則である。従って、第１の領域への表示ではなく第２の領域への表示に馴染む情報（例えば、登録された商品が取消等された旨、取消し、訂正の理由）については、第２の領域に表示し、第１の領域に表示しないように制御してもよい。
【００４８】
また、ＣＰＵ３０は、店員側表示部１８を、上述の顧客側表示部１９と同様に制御するが、ＣＰＵ３０は、少なくとも登録直後以前に登録された商品の情報を、店員側表示部１８に表示する表示態様に比べ、顧客側表示部１９に簡素化して表示することが好ましい。一例として、ＣＰＵ３０は、店員側表示部１８の表示を最も詳細に表示し、以下、顧客側表示部１９の第１の領域の表示、顧客側表示部１９の第２の領域の表示の順に簡素化して表示するようにしてもよい。
【００４９】
通信部３３は、ＬＡＮを介した通信によって外部とデータ交換を行う。時計部３４は、月、日、時、及び、分を計時して、ＣＰＵ３０へ供給する。なお、ドロアなどのメカニカル機構については省略している。
【００５０】
図３は、本実施形態によるＰＯＳレジスタ１の動作を説明するためのフローチャートである。具体的には、図３は、顧客側表示部１９の表示に関する動作を説明するフローチャートである。図４（ａ）は、本実施形態によるＰＯＳレジスタ１の顧客側表示部１９の表示例を示す模式図である。
【００５１】
ステップＳ１０：ＣＰＵ３０は、商品の登録の有無を判別する。具体的には、店員が、商品に付されたバーコードを読み取って商品コードを入力した場合、又は、入力キー１７を操作して商品コードを入力した場合に、商品の登録があったと判別する。商品の登録がなかった場合（ステップＳ１０：ＮＯ）、ステップＳ２０に進む。商品の登録があった場合（ステップＳ１０：ＹＥＳ）、ステップＳ１２に進む。
ステップＳ１２：商品登録にて入力した商品コードに基づいて、今回登録した商品の表示項目（第１の領域、第２の領域の少なくとも一方に表示する表示項目）を取得する。なお、表示項目の一例は、商品名、単価、個数、産地、メーカー名、値下げ等に付帯する付帯情報等である。
ステップＳ１４：ＣＰＵ３０は、今回登録した商品の表示項目をＲＡＭ３２に一時記憶する。なお、前回迄に登録した商品（今回登録した商品よりも前に登録した商品）の表示項目を記憶している場合には、上書きせずに、各商品の表示項目をその登録順（入力順）にそのまま一時記憶する。
【００５２】
ステップＳ１６：ＣＰＵ３０は、第１定義情報に従って、今回登録した商品の表示項目に係る表示情報を生成し、図４（ａ）に示すように、生成した表示情報を顧客側表示部１９の第１の領域（Ａ１の領域）に表示する。図４（ａ）の第１の領域Ａ１において、「○○」は産地又はメーカー名、「かかかかかかかかか」は商品名、「４９８円」は単価である。また、ＣＰＵ３０は、図４（ａ）に示すように、現在のお買上点数を顧客側表示部１９に表示し、その請求金額を計算して顧客側表示部１９に表示する。
【００５３】
ステップＳ１８：ＣＰＵ３０は、第２定義情報に従って、今回迄に登録した各商品（今回登録した商品、及び、前回迄に登録した商品）の表示項目に係る表示情報を生成し、生成した表示情報を第２の領域（Ａ２の領域）に表示する。図４（ａ）の第２の領域Ａ２において、「かかかかかかかかか」及び「４９８円」は、今回の商品の商品名及び単価である。商品名「かかかかかかかかか」の左側に表示した矢印は、今回の商品である旨の目印（マーク）である。なお、第１の領域Ａ１において表示していた「○○（産地又はメーカー名）」は、第２の領域Ａ２においては簡素化のため省略している。図４（ａ）の第２の領域Ａ２において、「おおおおおおおおお」及び「１５０円」は、１回前に登録した商品の商品名及び単価である。なお、３回前乃至６回前に連続して登録した商品の商品名「ううううううううう」の右側に表示された「３５０円の品５０円値引」は、当該商品が５０円の値引き商品に該当する旨を示す文言である。
【００５４】
ステップＳ２０：ＣＰＵ３０は、取引終了であるか否かを判別する。取引終了でない場合（ステップＳ２０：ＮＯ）、ステップＳ１０に戻る。取引終了である場合（ステップＳ２０：ＹＥＳ）、ステップＳ２２に進む。
ステップＳ２２：買い上げ明細の品目毎に単価、個数、金額等を、印字部２３からレシート用紙に印字して出力する。
ステップＳ２４：全ての表示項目、第１の領域、第２の領域の表示をクリアする。そして、図３のフローチャートは終了する。
【００５５】
図３のステップＳ１６、Ｓ１８によれば、例えば、１つ目の商品を登録し、当該１つ目の商品の商品名等が顧客側表示部１９の第１の領域に表示された後に、２つ目の商品を登録した場合、顧客側表示部１９の第１の領域に表示されていた１つ目の商品の商品名等は、顧客側表示部１９の第２の領域に移動し、新たに、顧客側表示部１９の第１の領域には、２つ目の商品の商品名等が表示される。
【００５６】
図４に示したに顧客側表示部１９の表示によれば、お客は、第２の領域において、商品の登録状況の全体を把握しつつ値引き情報などの詳細な情報を簡便に把握し、第１の領域において、第２の領域の表示に比べて大きな表示で、今回の商品の情報をしっかりと確認することができる。
【００５７】
なお、図４（ａ）では、第１の領域Ａ１と第２の領域Ａ２を上下に分割しているが、左右に分割してもよい（後述する図４（ｂ）も同様）。また、第１の領域Ａ１と第２の領域Ａ２には、登録直後の商品の表示情報を表示する旨を顧客に認識させる文言（領域名、領域タイトル）、登録直後の商品及び登録直後以前に登録された商品の表示情報を表示する旨を顧客に認識させる文言を付してもよい。
【００５８】
また、ＰＯＳレジスタ１は、図４（ａ）に示すような表示態様に代えて、図４（ｂ）に示すように表示態様で顧客側表示部１９の表示を行ってもよい。また、図４（ｂ）の第１の領域Ａ１において、第１の領域Ａ１において「○○（産地又はメーカー名）」を非表示としている。また、図４（ｂ）の第２の領域Ａ２において、商品名「あああああああああ」の右側の「＠１９８円×２点  ３９６円」は、当該商品の買上点数、合計金額である。なお、商品名「ううううううううう」、商品名「えええええええええ」における「＠単価×買上点数  合計金額」の表示も同様である。
【００５９】
なお、ＣＰＵ３０は、例えば、商品が登録される毎に、上述の如く、表示項目を順次記憶し、商品が登録される毎（又は、後述の如く、所定の入力キー１７が押下された場合）に、一時記憶された情報の中から同一商品の検索を開始し、同一商品が検索されると、買上点数（合計数量）、合計金額を計算し、「＠単価×買上点数  合計金額」を第２の領域Ａ２に纏めて表示する。
【００６０】
なお、ＣＰＵ３０は、所定の操作に応じて、上述の「＠単価×買上点数  合計金額」のような表示をするように顧客側表示部１９の表示を制御してもよい。例えば、ＣＰＵ３０は、所定の入力キー１７（例えば、小計キー）が押下された場合に、上述のように顧客側表示部１９の表示を制御してもよい。
【００６１】
また、ＰＯＳレジスタ１は、図４（ｂ）では、同一商品の情報を一行に纏めて表示する際に、商品名と、単価と、合計数量（買上点数）と、合計金額とを表示しているが、同一商品の情報を一行に纏めて表示する際の表示形式は、これに限定されない。例えば、ＰＯＳレジスタ１は、同一商品の情報を一行に纏めて表示する際に、少なくとも、商品名に加え、合計数量、合計金額の何れか一方又は両方を表示すればよい。換言すれば、ＣＰＵ３０は、登録された商品に同一商品が含まれている場合には、該同一商品の少なくとも数量及び金額を各々合計した合計値（合計数量、合計金額の何れか一方又は両方）を算出し、該同一商品について少なくとも商品名と算出した合計値とを表示するように顧客側表示部１９の表示を制御するようにしてもよい。
【００６２】
また、図４（ｂ）の第２の領域Ａ２において、商品「いいいいいいいいい」及び「１０５円」に付された二重線は、当該商品が取消し処理された旨を表し、商品「いいいいいいいいい」の右端の「お客様の御都合により取消」は取消しの理由を表している。また、取消し等された商品の情報は、他の情報と異なる色（例えば、他の情報を黒色で表示するのに対して取り消し等された情報は赤色で表示）してもよい。
【００６３】
なお、図４（ａ）又は（図４（ｂ）において、第１の領域Ａ１と第２の領域Ａ２を上下に分割しているが、左右に分割してもよい。また、第１の領域Ａ１と第２の領域Ａ２には、登録直後の商品の表示情報を表示する旨を顧客に認識させる文言（領域名、領域タイトル）、登録直後の商品及び登録直後以前に登録された商品の表示情報を表示する旨を顧客に認識させる文言を付してもよい。
【００６４】
また、上述した実施形態において、タイムサービス、バンドルマッチ、セットマッチ、特売商品などは、商品の先頭などに判別可能に文字を付加し、お客が見たときに、安くなった理由が一見して理解できるようにしてもよい。
また、上述した実施形態において、表示文字の装飾や表示属性は、設定可能としてもよいし、設定がなされていない場合には、デフォルトで判別可能な表示を行なうようにしてもよい。
【００６５】
また、上述した実施形態において、バンドルマッチ（例えば、３本で○○円等）や、セットマッチ（□□商品と××商品と一緒に購入すると○○円引き等）に関しては、商品が一緒に読取られることなく別々に読み込まれる可能性も有りうる。この場合には、どの商品とどの商品とが合わさったから安くなったのかを理解できるような表示にする。例えば、商品同士を色つきのコの字線で紐付けて安くなった理由を表示したり、商品同士が一緒の表示位置になるように移動させてから安くなった理由を表示したりするなどの制御を行うようにしてもよい。また、上述の如く矢印を用いてもよい。
【００６６】
なお、上述した実施形態において、ＰＯＳレジスタ１の外観として、店員側表示部１８と入力キー１７とを上下方向に並べて配置（図１の場合、店員側表示部１８の下側に入力キー１７を横に配置）する例を説明したが、ＰＯＳレジスタ１の外観はこれに限定されない。例えば、店員側表示部１８と入力キー１７とは左右方向に並べて配置（例えば、店員側表示部１８の右側に入力キー１７を縦に配置）してもよい。
【００６７】
また、上述した実施形態において、店員側表示部１８における表示情報の表示態様を定義する情報、及び、顧客側表示部１９における表示情報の表示態様を定義する情報を、ＲＯＭ３１に記憶する例を説明したが、上述の情報を外部（例えば、ストアコントローラ）から取得し（例えば、適宜、最新の情報を受信し）、ＲＡＭ３２に記憶してもよい。
【００６８】
また、上述した実施形態において、ＰＯＳレジスタ１の機能として、来店客が買い上げる商品の登録機能と、登録機能により登録した商品の精算機能とを兼ね備える例を説明したが、ＰＯＳレジスタ１は登録機能を備えていればよく、必ずしも精算機能を備えていなくてもよい。
【００６９】
なお、上記に説明したＰＯＳレジスタ１を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００７０】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００７１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００７２】
１…ＰＯＳレジスタ  １７…入力キー  １８…店員側表示部  １９…顧客側表示部  ２３…印字部  ３０…ＣＰＵ  ３１…ＲＯＭ  ３２…ＲＡＭ  ３３…通信部  ３４…時計部
【図１】
2013250799.tif 000003
【図２】
2013250799.tif 000004
【図３】
2013250799.tif 000005
【図４】
2013250799.tif 000006